(57)【要約】【課題】  専用の指針を設けることなく簡単な構成で、電池交換時期の表示やゼロ位置復帰を行うようにすること。【解決手段】  ＵＶ表示モードでは紫外線強度を測定して紫外線の瞬時値強度及び累積値強度を指針１１８、１１９によって表示し、ＢＬＤ表示モードでは電池の出力が所定値以下に低下したことを示す。零マッチモードＭ１では電池交換後に指針１１８、１１９をゼロ位置２０２、２０４に復帰し、瞬時値指針１１８の位置が変更可能であり、零マッチモードＭ２は零マッチモードＭ１の状態で所定操作が行われたときに移行するモードで、累積値指針１１９の位置が変更可能である。電池の出力が所定値以下に低下したとき、指針１１８、１１９が測定値を表示する測定値表示領域とは異なる領域に位置するように駆動し（ＢＬＤ表示モード）、電池の交換後に指針１１８、１１９をゼロ位置に戻すように駆動する（零マッチモードＭ１）。【選択図】  図４
2010101781.tif 000002
【特許請求の範囲】
【請求項１】
測定値を表示する指針と、
前記測定値を指針によって表示するように前記指針を駆動する駆動手段と、
駆動電力源としての電池と、
前記電池の出力を検出する検出手段とを備え、
前記駆動手段は、前記電池の出力が所定値以下に低下したことを前記検出手段が検出したとき前記指針を前記測定値を表示する測定値表示領域外に位置するように駆動すると共に、前記電池の交換後に前記指針を前記測定値表示領域のゼロ位置に戻すように駆動することを特徴とする測定値表示装置。
【請求項２】
前記電池交換後に前記指針の表示位置合わせを行う操作手段を備えて成ることを特徴とする請求項１記載の測定値表示装置。
【請求項３】
前記指針は測定値の瞬時値を表示する瞬時値指針と測定値の累積値を表示する累積値指針とを有すると共に、前記測定値表示領域は前記瞬時値指針によって瞬時値を表示する瞬時値表示領域と前記累積値指針によって累積値を表示する累積値表示領域とを有することを特徴とする請求項１又は２記載の測定値表示装置。
【請求項４】
前記駆動手段は、前記電池の出力が所定値以下に低下したことを前記検出手段が検出したとき、前記瞬時値指針及び累積値指針の双方を前記測定値表示領域外に位置するように駆動することを特徴とする請求項３記載の測定値表示装置。
【請求項５】
前記駆動手段は、前記電池の交換後に前記瞬時値指針と累積値指針の少なくとも一方の表示位置を位置合わせ可能な位置合わせモードに入り、前記操作手段の操作に応答して位置合わせ可能な指針の位置合わせを行うことを特徴とする請求項３又は４記載の測定値表示装置。
【請求項６】
前記駆動手段は、前記位置合わせモードに入った際、位置合わせ可能な指針を１回転以上回転駆動することを特徴とする請求項５記載の測定値表示装置。
【発明の詳細な説明】
【技術分野】
【０００１】
本発明は、測定値を指針によって表示する測定値表示装置に関する。
【背景技術】
【０００２】
従来、指針式多機能電子時計では電池交換時に針のゼロ位置を修正するための針位置修正モードを設け、モード表示板を用いてユーザにモードの報知を行っている（例えば特許文献１の図４の４０９）。
特許文献１記載の発明では、ステップモータ式指示計器では、各針が示す機能が１つに定められており複数のモードが存在しないため、針位置修正モードを表示するモード針を別途配置する必要がある。したがって、構成が複雑になり又、高価になるという問題がある。
【０００３】
特許文献２には、短時間で指針が確実に初期位置に復帰し、ストッパ当接確認動作が行われるようにしたステップモータ式指示計器が開示されている。
特許文献２記載の発明では、ストッパに片が当接することで計測値０の位置を検出するように構成しているため、機構が複雑となり小型化に限界がある。また、ストッパ当接による輪列やロータへの過大な力による劣化が避けられない。更にこれを回避するためにスリップ機構を設けた場合、機構が複雑化することが避けられない。
【０００４】
また、特許文献３には、センサを備えた指針式電子時計において、時刻指示位置と測定値指示位置とが同様の位置になる場合でも、時刻表示モードと測定値表示モードとを容易に認識でき、その表示内容の見間違いを防止するようにした発明が開示されている。紫外線積算量表示モードに切り替えると、分針が一旦積算量のゼロ位置へ復帰した後、３分間隔で測定される紫外線強度に基づいた紫外線積算量の位置へ分針が移動するように構成されている。
【０００５】
特許文献３記載の発明では、モード切替時に、単に分針が積算量のゼロ位置に復帰するに過ぎないため、元々積算量がゼロであったのか或いはモード切替が行われたのかを判別し難いという問題がある。また、電池の供給電力が低下して電池交換する場合のことについては何ら記載されていない。
【０００６】
【特許文献１】特開平０５−２５６９５８号公報
【特許文献２】特開２００４−５３５５３号公報
【特許文献３】特開平０７−２９４６７３号公報
【発明の開示】
【発明が解決しようとする課題】
【０００７】
本発明は、専用の指針を設けることなく簡単な構成で、電池交換時期の表示やゼロ位置復帰を行うようにすることを課題としている。
また、本発明は、専用の指針を設けることなく簡単な構成で、電池交換時期の表示やゼロ位置復帰を行うと共に、モード切替が行われたことを判別しやすくすることを課題としている。
【課題を解決するための手段】
【０００８】
本発明によれば、測定値を表示する指針と、前記測定値を指針によって表示するように前記指針を駆動する駆動手段と、駆動電力源としての電池と、前記電池の出力を検出する検出手段とを備え、前記駆動手段は、前記電池の出力が所定値以下に低下したことを前記検出手段が検出したとき前記指針が前記測定値を表示する測定値表示領域外に位置するように駆動すると共に、前記電池の交換後に前記指針を前記測定値表示領域のゼロ位置に戻すように駆動することを特徴とする測定値表示装置が提供される。
駆動手段は、電池の出力が所定値以下に低下したことを検出手段が検出したとき指針が測定値を表示する測定値表示領域外に位置するように駆動すると共に、前記電池の交換後に前記指針を前記測定値表示領域のゼロ位置に戻すように駆動する。
【０００９】
ここで、前記電池交換後に前記指針の表示位置合わせを行う操作手段を備えて成るように構成してもよい。
また、前記指針は測定値の瞬時値を表示する瞬時値指針と測定値の累積値を表示する累積値指針とを有すると共に、前記測定値表示領域は前記瞬時値指針によって瞬時値を表示する瞬時値表示領域と前記累積値指針によって累積値を表示する累積値表示領域とを有するように構成してもよい。
また、前記駆動手段は、前記電池の出力が所定値以下に低下したことを前記検出手段が検出したとき、前記瞬時値指針及び累積値指針の双方を前記測定値表示領域外に位置するように駆動するよう構成してもよい。
【００１０】
また、前記駆動手段は、前記電池の交換後に前記瞬時値指針と累積値指針の少なくとも一方の表示位置を位置合わせ可能な位置合わせモードに入り、前記操作手段の操作に応答して位置合わせ可能な指針の位置合わせを行うように構成してもよい。
また、前記駆動手段は、前記位置合わせモードに入った際、位置合わせ可能な指針を１回転以上回転駆動するように構成してもよい。
【発明の効果】
【００１１】
本発明に係る測定値表示装置によれば、専用の指針を設けることなく簡単な構成で、電池交換時期の表示やゼロ位置復帰を行うようにすることが可能になる。
また、専用の指針を設けることなく簡単な構成で、電池交換時期の表示やゼロ位置復帰を行うと共に、モード切替が行われたことを判別しやすくすることが可能になる。
【発明を実施するための最良の形態】
【００１２】
以下、図面を参照しながら、本発明の実施の形態に係る測定値表示装置について説明する。尚、各図において同一部分には同一符号を付している。
図１は、本発明の実施の形態に係る測定値表示装置のブロック図で、紫外線（ＵＶ）を測定してアナログ表示する携帯用の測定値表示装置の例を示している。
図１において、測定値表示装置は、紫外線を検出して対応する強度のアナログ信号形式の検出信号を出力するセンサ１０１、センサ１０１からの検出信号をデジタル信号形式の検出信号に変換して出力するセンサ検出回路１０２、紫外線強度データや累積時間データあるいは紫外線積算量データをはじめとする各種データを記憶するランダムアクセスメモリ（ＲＡＭ）１０３、プログラム等を記憶する読み出し専用メモリ（ＲＯＭ）１０４、複数の操作スイッチから成る操作部１０５を備えている。
【００１３】
また、測定値表示装置は、中央処理装置（ＣＰＵ）によって構成されＲＯＭ１０４に記憶したプログラムを実行することによって後述する処理を行う制御回路１０６、所定周波数の信号を発生する発振回路１０７、発振回路１０７の出力信号を分周して計時の基準となる時計信号等を出力する分周回路１０８、モータ駆動回路１０９、１１０、モータ１１１、１１２、表示部１１３、電池１１４、電源検出回路１１５を備えている。
制御回路１０６は、その一部の機能として指針制御部１１６及びセンサ制御部１１７を有している。電池１１４は測定値表示装置の前記各構成要素に駆動電力を供給する駆動電力源として機能する。モータ１１１、１１２は時計用のステッピングモータやサーボモータ等の各種モータが使用できる。
【００１４】
図２に表示部１１３の詳細を示すように、円形状表示部１１３の外周に沿って紫外線（ＵＶ）の瞬時値である紫外線強度（ＵＶインデックス値）を表示する瞬時値表示領域２０１が設けられると共に、その下方に、所定値（例えば紫外線保健指導マニュアルに記載されたＵＶインデックス値３）以上の強度の紫外線を浴びた時間の累積値を表示する累積値表示領域２０３が設けられている。瞬時値表示領域２０１及び累積値表示領域２０３は測定値を表示する測定値表示領域である。瞬時値表示領域２０１には瞬時値の原点であるゼロ位置２０２が設けられ、累積値表示領域２０３は累積値の原点であるゼロ位置２０４が設けられている。
【００１５】
瞬時値表示領域２０１に対応付けて瞬時値指針（センター針）１１８が表示部１１３の中央部に回転可能に設けられ、表示部１１３の下方には累積値表示領域２０３に対応付けて累積値指針（小針）１１９が回転可能に設けられている。制御回路１０６の制御の下、瞬時値指針１１８はモータ駆動回路１０９及びモータ１１１によって回転駆動され、累積値指針１１９はモータ駆動回路１１０及びモータ１１２によって回転駆動される。
【００１６】
瞬時値表示領域２０１、累積値表示領域２０３、瞬時値指針１１８、累積値指針１１９はガラス等の透明部材によって覆われており、紫外線を損失なく通過する窓（ＵＶセンサ窓）２０５が設けられている。窓２０５を通った紫外線がセンサ１０１によって検出される。また、測定値表示装置には、表示部１１３の外側に複数の操作スイッチＳＷ１、ＳＷ２が設けられている。操作スイッチＳＷ１、ＳＷ２は操作部１０５の構成要素である。
ここで、センサ１０１及びセンサ検出回路１０２は測定手段を構成している。制御部１０６、モータ駆動回路１０９、１１０、モータ１１１、１１２は駆動手段を構成している。電源検出回路１１５は検出手段を構成し、操作部１０５は操作手段を構成している。
【００１７】
図３は、本実施の形態に係る測定値表示装置のフローチャートである。
また、図４は、本実施の形態に係る測定値表示装置の動作説明図である。測定値表示装置は、ＵＶ表示モード、ＢＬＤ表示モード、零マッチモードＭ１、零マッチモードＭ２の４つの動作モードを備えており、これらの動作モードの遷移関係が図４に示されている。
ＵＶ表示モードは、紫外線を検出して紫外線強度の瞬時値及び所定値以上の強度の紫外線を検出した累積時間を指針１１８、１１９によって表示する測定モードである。ＢＬＤ表示モードは、電池１１４の出力が所定値以下に低下したことを指針１１８、１１９によって示す電池残量警告表示モードである。零マッチモードＭ１は、電池交換後に、指針１１８、１１９をゼロ位置２０２、２０４に復帰し、瞬時値指針１１８の位置が変更可能なモード（ゼロ位置調整モード）である。零マッチモードＭ２は、零マッチモードＭ１の状態で所定操作が行われたときに移行するモードで、累積値指針１１９の位置が変更可能なモード（ゼロ位置調整モード）である。
【００１８】
以上のように構成された本実施の形態の動作を図１〜図４を参照して詳細に説明する。
ユーザが測定値表示装置の電池を新しい電池１１４に交換すると、電源検出回路１１５は電池１１４の電圧を検出して電池交換されたことを制御回路１０６に通知する。制御回路１０６は、電源検出回路１１５からの電池交換通知を受けて初期化処理（ＡＣ）を行い、モータ駆動回路１０９、１１０、モータ１１１、１１２を制御することによって、瞬時値指針１１８を一回転した後、瞬時値指針１１８、累積値指針１１９を各々ゼロ位置２０２、２０４に位置させる（ステップＳ３０１、Ｓ３０２）。これにより、指針の位置合わせモードである零マッチモードＭ１に移行したことが表示される。
【００１９】
零マッチモードＭ１では、操作スイッチＳＷ１を操作することによって瞬時値指針１１８の位置を変更することができる。また、操作スイッチＳＷ２を所定時間（本実施の形態では２秒）より長く押圧操作することによって別の指針の位置合わせモードである零マッチモードＭ２に移行することができる。操作スイッチＳＷ２を所定時間（本実施の形態では２秒）より短く押圧操作することによってＵＶ表示モードに移行することができる。尚、零マッチモードＭ１からＵＶ表示モードへの移行は、操作スイッチＳＷ１及びＳＷ２を所定時間（本実施の形態では１分間）操作せずに放置した場合も行われる。
【００２０】
即ち、制御回路１０６は操作スイッチＳＷ１が２秒未満の間操作されたと判定すると（ステップＳ３０３）、処理ステップＳ３０７に移行してＢＬＤ表示モードか否かを判定する。
制御回路１０６は処理ステップＳ３０３において操作スイッチＳＷ１が２秒未満の間操作されていないと判定した場合、操作スイッチＳＷ１が２秒超える時間操作されたものではなく（ステップＳ３０４）、且つ、操作スイッチＳＷ２も操作されずに１分間経過したと判定した場合（ステップＳ３０５、Ｓ３０６）にも処理ステップＳ３０７に移行する。
【００２１】
制御回路１０６の指針制御部１１６は処理ステップＳ３０５において操作スイッチＳＷ２が操作されたと判定した場合には、モータ駆動回路１０９を制御することによってモータ１１１を回転させて、押圧操作される毎に所定ステップずつ瞬時値指針１１８を時計回り（正）方向に回転させ（ステップＳ３１５）、その後処理ステップＳ３０６に移行する。
このように、零マッチモードＭ１において、操作スイッチＳＷ２の操作により瞬時値指針１１８の位置を合わせることができるようにしているため、処理ステップＳ３０２の指針帰零処理において瞬時値指針１１８がゼロ位置２０２からずれた位置に復帰した場合でも、ゼロ位置２０２に正確に位置合わせすることが可能になる。
【００２２】
制御回路１０６の指針制御部１１６は処理ステップＳ３０４において操作スイッチＳＷ１が２秒を超えて操作されたと判定した場合、モータ駆動回路１１０を制御することによってモータ１１２を回転させて積算値指針１１９を一回転させてゼロ位置２０４に戻し、零マッチモードＭ２に移行したことを表示する（ステップＳ３１８）。
零マッチモードＭ２では、操作スイッチＳＷ２を操作することによって累積値指針１１９の位置を変更することができる。また、操作スイッチＳＷ１を所定時間（本実施の形態では２秒）より長く押圧操作することによってＵＶ表示モードに移行することができる。
【００２３】
即ち、制御回路１０６は零マッチモードＭ２において、操作スイッチＳＷ１が２秒超えて操作されたと判定すると、処理ステップＳ３０７に移行する（ステップＳ３１９）。
制御回路１０６は処理ステップＳ３１９において操作スイッチＳＷ１が２秒超えて操作されていないと判定した場合、操作スイッチＳＷ２が操作されずに１分間経過した場合（ステップＳ３２０、Ｓ３２１）にも処理ステップＳ３０７に移行する。
制御回路１０６の指針制御部１１６は処理ステップＳ３２０において操作スイッチＳＷ２が操作された場合には、モータ駆動回路１１０を制御することによってモータ１１２を回転させて、押圧操作される毎に所定ステップずつ累積値指針（小針）１１９を時計回り（正）方向に回転させ（ステップＳ３２２）、その後処理ステップＳ３２１に移行する。
【００２４】
処理ステップＳ３０２の指針帰零処理において累積値指針１１９がゼロ位置２０４に帰零しているため、処理ステップＳ３１８で累積値指針１１９が１回転した場合ゼロ位置２０４に戻ることになる。しかしながら、処理ステップＳ３０２の指針帰零処理において累積値指針１１９がゼロ位置２０４からずれた位置に復帰していた場合でも、零マッチモードＭ２において、操作スイッチＳＷ２の操作により累積値指針１１９の位置を合わせることができる。したがって、累積値指針１１９をゼロ位置２０４に正確に位置合わせすることが可能になる。
【００２５】
制御回路１０６は、処理ステップＳ３０７においてＢＬＤ表示モードではないと判定した場合、現在のモードはＵＶ表示モードになるため、紫外線強度及び所定強度以上の紫外線の累積値を測定して表示する。
即ち、ＵＶ表示モードにおいて制御回路１０６のセンサ制御部１１７は、センサ１０１及びセンサ検出回路１０２が紫外線を測定するように制御する（ステップＳ３０８）。この場合、センサ１０１が測定した紫外線強度を表す検出信号がセンサ検出回路１０２を介して制御回路１０６に入力される。センサ制御部１１７は、センサ検出回路１０２からの検出信号に基づいて当該紫外線強度（ＵＶ  Ｉｎｄｅｘ）を算出し（ステップＳ３０９）、又、所定の基準値を超える強度の紫外線を検出した積算時間（所定の基準値を超える強度の紫外線の累積値に関連する値である。）を算出する（ステップＳ３１０）。
【００２６】
制御回路１０６の指針制御部１１６は、センサ制御部１１７が算出した紫外線強度を表示するようにモータ制御回路１０９を制御して瞬時値指針１１８を回転させる。これにより、瞬時値指針１１８はモータ１１１によって回転駆動されて、瞬時値表示領域２０１において前記紫外線強度を表示する（ステップＳ３１１）。また、指針制御部１１６は、センサ制御部１１７が算出した紫外線積算時間を表示するようにモータ駆動回路１１０を制御して累積値指針１１９を回転させる。これにより、累積値指針１１９はモータ１１２によって回転駆動されて、累積値表示領域２０３において前記紫外線の積算時間（累積値）を表示する（ステップＳ３１２）。
制御回路１０６は、以上のようにして測定した紫外線強度値や累積値をＲＡＭ１０３に随時記憶する。
【００２７】
次に、制御回路１０６は、操作スイッチＳＷ２が操作されずに所定時間（本実施の形態では１分間）経過すると（ステップＳ３１３、Ｓ３１４）、処理ステップＳ３０７へ戻って前記処理を繰り返す。これにより、所定時間周期で測定及び表示の更新が行われる。
また、制御回路１０６は、前記所定時間経過前に操作スイッチＳＷ２が操作されると積算時間をリセットする（ステップＳ３１７）。これにより、累積値指針１１９はゼロ位置２０４に移動すると共に、ＲＡＭ１０３に記憶していた累積時間をゼロにリセットし、前述のようにして新たな累積時間の測定を再開する。
【００２８】
処理ステップＳ３０７において電源検出回路１１５が所定値以下の電圧を検出すると、制御回路１０６はＢＬＤモードと判定し、モータ駆動回路１０９、１１０を制御してモータ１１１、１１２を回転駆動させて、指針１１８、１１９を測定値表示領域外（本実施の形態では６時位置）へ回転することによって、ＢＬＤモードに入ったことを示す（ステップＳ３１６）。
電池交換前の瞬時値指針１１８および累積値指針１１９の位置が所定の位置にあるため、ゼロ位置２０２、２０４までの運針ステップ数が一定値となり、電池交換後はステップＳ３０２の指針帰零により、針がゼロ位置へ正確に復帰することが可能となる。従って、ＢＬＤ表示に至る前に故意に電池交換をしない限りユーザによる針のゼロ位置調整は不要となる。
【００２９】
以上述べたように、本実施の形態に係る測定値表示装置によれば、電池１１４の出力が所定値以下に低下したとき、指針１１８、１１９が測定値を表示する測定値表示領域２０１、２０３外に位置するように駆動する（ＢＬＤ表示モード）。また、電池１１４の交換後に、指針１１８を所定回数（本実施の形態では１回）回転することによって零マッチモードに入ったことを示し、このとき、指針１１８、１１９をゼロ位置２０２、２０４に戻すように駆動している。
【００３０】
したがって、専用の指針を設けることなく簡単な構成で、電池交換時期の表示やゼロ位置復帰を行うようにすることが可能になる。また、専用の指針を設けることなく簡単な構成で、電池交換時期の表示や電池交換後のゼロ位置復帰を行うと共に、モード切替が行われたことを判別しやすくすることが可能になる。
また、表示用指針のみでユーザにモード（測定値表示モードと零マッチモードとＢＬＤ表示モード）の判別をし易くすることができる。
また、通常の電池交換では指針位置調整は不要でユーザの操作性を保ちながら、かつ、ストッパもしくは光によるゼロ位置検出が不要なため、機構が単純となり小型化、低消費化が可能となる等の効果を奏する。
【００３１】
尚、前記実施の形態では、瞬時値と累積値を表示する例で説明したが、いずれか一方を表示するように構成してもよく又、他の測定値を表示するように構成してもよい。また、紫外線以外のものを測定して表示するように構成してもよい。
【産業上の利用可能性】
【００３２】
一又は複数の指針によって瞬時値あるいは累積値を表示する測定値表示装置に利用可能である。
【図面の簡単な説明】
【００３３】
【図１】本発明の実施の形態に係る測定値表示装置のブロック図である。
【図２】本発明の実施の形態に係る測定値表示装置の表示部を示す図である。
【図３】本発明の実施の形態に係る測定値表示装置のフローチャートである。
【図４】本発明の実施の形態に係る測定値表示装置の動作説明図である。
【符号の説明】
【００３４】
１０１・・・センサ
１０２・・・センサ検出回路
１０３・・・ＲＡＭ
１０４・・・ＲＯＭ
１０５・・・操作部
１０６・・・制御回路
１０７・・・発振回路
１０８・・・分周回路
１０９、１１０・・・モータ駆動回路
１１１、１１２・・・モータ
１１３・・・表示部
１１４・・・電池
１１５・・・電源検出回路
１１６・・・指針制御部
１１７・・・センサ制御部
１１８・・・瞬時値指針
１１９・・・累積値指針
２０１・・・瞬時値表示領域
２０２、２０４・・・ゼロ位置
２０３・・・累積値表示領域
２０５・・・窓
ＳＷ１、ＳＷ２・・・操作スイッチ
【図１】
2010101781.tif 000003
【図２】
2010101781.tif 000004
【図３】
2010101781.tif 000005
【図４】
2010101781.tif 000006